(57)【要約】【課題】使用場面に応じて適正にランプの運用を行うことができ、これにより、ユーザの利便性を向上させる。【解決手段】第１か第２の何れかのランプを点灯させ、１個のランプ点灯による照明光を変調して投写する映像表示装置において、ユーザにより選択されたランプを点灯ランプとして使用する手動切り替えモードと、第１と第２のランプとが自動で切り替わる自動切り替えモードとを備え、現在のモードが手動切り替えモードであるか、あるいは自動切り替えモードであるかにも係わらず、点灯させているランプの使用積算時間が、予め定められている寿命基準時間を越えた場合でも、点灯させているランプの点灯を継続させると共に、点灯させているランプが寿命である旨の表示を行う。【選択図】図２０
2011102987.tif 000002
【特許請求の範囲】
【請求項１】
第１か第２の何れかのランプを点灯させ、１個のランプ点灯による照明光を変調して投写する映像表示装置において、
ユーザにより選択されたランプを点灯ランプとして使用する手動切り替えモードと、第１と第２のランプとが自動で切り替わる自動切り替えモードとを備え、
現在のモードが手動切り替えモードであるか、あるいは自動切り替えモードであるかにも係わらず、点灯させているランプの使用積算時間が、予め定められている寿命基準時間を越えた場合でも、点灯させているランプの点灯を継続させると共に、点灯させているランプが寿命である旨の表示を行うことができるように構成されていることを特徴とする映像表示装置。
【発明の詳細な説明】
【技術分野】
【０００１】
本発明は、複数のランプを切り替えて照明光を生成するランプ運用装置および当該ランプ運用装置を搭載する映像表示装置に関するものである。
【背景技術】
【０００２】
現在、画像をスクリーンに拡大投写する投写型の映像表示装置（以下、「プロジェクタ」という）が商品化され広く普及している。かかるプロジェクタでは、一般に、光源としてランプが使用されており、ランプからの光が光変調素子によって変調されてスクリーンに投写される。
【０００３】
この場合、投写動作の途中でランプが切れると、画像の表示が中断されてしまう。かかる問題は、複数のランプをプロジェクタに装着することにより解消できる（たとえば、特許文献１参照）。使用中のランプが切れると、投写に用いるランプを他のランプに切り替える。これにより、画像の投写を速やかに再開することができる。
【特許文献１】特開２００３−７５９１１号公報
【発明の開示】
【発明が解決しようとする課題】
【０００４】
このように複数のランプがプロジェクタに装着される場合には、使用場面に応じて各ランプをどのように運用するかが課題となる。
【０００５】
たとえば、プロジェクタを用いてプレゼンテーションを行う場合、練習中には古いランプを使用し、本番では高輝度のより新しいランプを使用するといったことがなされ得る。
【０００６】
また、ランプは使用に応じて劣化するため、どのランプを用いても投写画像を同程度の画質で表示させるには、複数のランプを平均的に使用する必要がある。反面、このように平均的に使用すると、各ランプの寿命が略同じ時期に切れ、画像の投写に支障が生じる惧れがある。
【０００７】
さらに、ランプには寿命があり、寿命が切れたランプを使い続けるとランプが損傷する等の問題が生じる。また、劣化が進み点灯し難くなったランプを使い続けると、発光効率が低下し、また、ランプに損傷が生じる惧れもある。このランプの損傷は、ユーザに対して、ランプの破片などを除去する作業負担を強いるため、利便性の著しい低下を招くので望ましくない。よって、ランプは、寿命や劣化の進み具合を考慮して適正に使用される必要がある。
【０００８】
本発明は、上記課題に鑑みてなされたものであり、使用場面に応じて適正にランプの運用を行うことができ、これにより、ユーザの利便性を向上させることができる映像表示装置を提供することを目的とする。
【課題を解決するための手段】
【０００９】
上記課題を解決するための手段は、第１か第２の何れかのランプを点灯させ、１個のランプ点灯による照明光を変調して投写する映像表示装置において、ユーザにより選択されたランプを点灯ランプとして使用する手動切り替えモードと、第１と第２のランプとが自動で切り替わる自動切り替えモードとを備え、現在のモードが手動切り替えモードであるか、あるいは自動切り替えモードであるかにも係わらず、点灯させているランプの使用積算時間が、予め定められている寿命基準時間を越えた場合でも、点灯させているランプの点灯を継続させると共に、点灯させているランプが寿命である旨の表示を行うことができるように構成されていることを特徴とする。
【発明の効果】
【００１０】
以上のとおり本発明によれば、ランプの使用を円滑に管理できるランプ運用装置および映像表示装置を提供することができる。
【００１１】
本発明の効果ないし意義は、以下に示す実施の形態の説明により更に明らかとなろう。
ただし、以下の実施の形態は、あくまでも、本発明を実施化する際の一つの例示であって、本発明は、以下の実施の形態に記載されたものに何ら制限されるものではない。
【図面の簡単な説明】
【００１２】
【図１】実施の形態に係るプロジェクタの概観を示す図
【図２】実施の形態に係る光学エンジンの構成を示す図
【図３】実施の形態に係るミラーユニットの構成を示す斜視図
【図４】実施の形態に係るランプユニットの構成を示す分解斜視図
【図５】実施の形態に係るランプユニットの構成を示す一部拡大図
【図６】実施の形態に係るランプユニットの回路基板の構成を示す図
【図７】実施の形態に係るランプユニットの取り付け方法を説明する斜視図
【図８】実施の形態に係るランプユニットの取り付け状態を示す斜視図
【図９】実施の形態に係るランプユニットの取り付け状態を示す一部断面図
【図１０】実施の形態に係るプロジェクタの回路構成を示す図
【図１１】実施の形態に係るランプ運用のためのシステム構成を示す図
【図１２】実施の形態に係るランプ管理情報の初期化と使用積算時間の更新処理を示すフローチャート
【図１３】実施の形態に係る通信路の切り替え設定処理を示すフローチャート
【図１４】実施の形態に係る動作不良判別処理（始動時）を示すフローチャート
【図１５】実施の形態に係る動作不良判別処理（点灯時）を示すフローチャート
【図１６】実施の形態に係る手動切り替えモードを説明する図
【図１７】実施の形態に係る自動切り替えモードを説明する図
【図１８】実施の形態に係る自動切り替えモードの動作を説明する図
【図１９】実施の形態に係る寿命優先モードにおける処理フローチャート
【図２０】実施の形態に係る継続優先モードにおける処理フローチャート
【図２１】実施の形態に係る動作不良判別処理の変更例を示すフローチャート
【図２２】実施の形態に係る寿命優先モードの変更例を示す処理フローチャート
【図２３】実施の形態に係る寿命優先モードの変更例を示す処理フローチャート
【図２４】実施の形態に係る継続優先モードの変更例を示す処理フローチャート
【発明を実施するための最良の形態】
【００１３】
以下、図面を参照して、実施の形態に係るプロジェクタの構成を説明する。なお、本実施の形態に係るプロジェクタは、照明装置の光源として２つのランプユニットを有している。
【００１４】
図１は、プロジェクタの構成を示す図（外観斜視図）である。プロジェクタは、キャビネット１を備えている。キャビネット１は、上下に薄く前後に長い略直方体形状を有しており、その側面には、キャビネット１内部に外気を取り込むための吸気口５が形成されている。
【００１５】
キャビネット１内には、光学エンジン２、投写レンズ３、および冷却装置４が配されている。光学エンジン２は、映像信号により変調された光（映像光）を生成する。光学エンジン２には、投写レンズ３が装着されており、投写レンズ３の前部が、キャビネット１の前面から露出している。光学エンジン２で生成された映像光は、投写レンズ３によって、プロジェクタ前方に配されたスクリーン面に投写される。冷却装置４は、吸気口５から外気を取り込み、この外気を冷却風として光学エンジン２に供給する。
【００１６】
なお、かかるプロジェクタには、ユーザ入力のためのリモートコントローラ（リモコン）が組み合わされている。ユーザは、リモコンを操作することにより、投写指令や、ランプ運用モードの設定等の各種設定を行うことができる。
【００１７】
図２は、光学エンジンの構成を示す図である。同図において、１０は、２つのランプユニット１０ａ、１０ｂとミラーユニット１０ｃを有する照明装置である。ランプユニット１０ａ、１０ｂは、超高圧水銀ランプ、メタルハライドランプ、キセノンランプ等からなるランプを備えている。ランプユニット１０ａ、１０ｂからの光は、リフレクタの作用により略平行光となって出射される。なお、ランプユニット１０ａ、１０ｂの構成は、追って詳述する。
【００１８】
ミラーユニット１０ｃには、同図Ｘ−Ｚ平面に平行に回動可能なミラーが配されている。ミラーは、ランプユニット１０ａの起動時にはランプユニット１０ａからの光をフライアイインテグレータ１１へと導き、ランプユニット１０ｂの起動時にはランプユニット１０ｂからの光をフライアイインテグレータ１１へと導くよう回動される。ミラーユニット１０ｃの構成は、追って、図３ないし図５を参照して説明する。
【００１９】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなる第１および第２のフライアイレンズを備え、液晶パネル１８、２４、３３に入射する際の光量分布が均一となるよう、照明装置１０から入射される光に光学作用を付与する。
【００２０】
ＰＢＳアレイ１２は、複数のＰＢＳと１／２波長板がアレイ状に配列されたものであり、フライアイインテグレータ１１から入射された光の偏光方向を一方向に揃える。コンデンサレンズ１３は、ＰＢＳアレイ１２から入射された光に集光作用を付与する。コンデンサレンズ１３を透過した光は、ダイクロイックミラー１４に入射する。
【００２１】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５よって反射されコンデンサレンズ１６に入射される。
【００２２】
コンデンサレンズ１６は、Ｂ光が略平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００２３】
ダイクロイックミラー１４によって反射された光のうちＧ光は、ダイクロイックミラー２１によって反射され、コンデンサレンズ２２に入射される。コンデンサレンズ２２は、Ｇ光が略平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００２４】
ダイクロイックミラー２１を透過したＲ光は、コンデンサレンズ２６に入射される。コンデンサレンズ２６は、Ｒ光が略平行光で液晶パネル３３に入射するよう、Ｒ光に光学作用を付与する。コンデンサレンズ２６を透過したＲ光は、光路長調整用のリレーレンズ２７、２９、３１と２つのミラー２８、３０からなる光路を進み、入射側偏光板３２を介して液晶パネル３３に入射される。液晶パネル３３は、赤色用の映像信号に応じて駆動され、その駆動状態に応じてＲ光を変調する。液晶パネル３３によって変調されたＲ光は、出射側偏光板３４を介して、ダイクロイックプリズム２０に入射される。
【００２５】
ダイクロイックプリズム２０は、液晶パネル１８、２４、３３によって変調されたＢ光、Ｇ光およびＲ光を色合成し、投写レンズ３へと入射させる。投写レンズ３は、投写光を被投写面上に結像させるためのレンズ群と、これらレンズ群の一部を光軸方向に変位させて投写画像のズーム状態およびフォーカス状態を調整するためのアクチュエータを備えている。ダイクロイックプリズム２０によって色合成された光は、投写レンズ３によって、スクリーン上に拡大投写される。
【００２６】
次に、図３を参照して、ミラーユニット１０ｃの構成について説明する。
【００２７】
図３は、ミラーユニット１０ｃの構成を示す斜視図である。
【００２８】
同図において、ベース１００は、上板部１０１、下板部１０２、背板部１０３および２つの壁部１０４を備えている。これら上板部１０１、下板部１０２、背板部１０３および２つの壁部１０４は、アルミダイキャストにより一体形成されている。また、２つの壁部１０４の間には、上板部１０１へと繋がる凹部１０５が配されている。下板部１０２と上板部１０１は互いに平行となっている。下板部１０２と上板部１０１の間にミラーホルダ２００が回動可能に配される。
【００２９】
２つの壁部１０４と背板部１０３の内側面には、調節板２０３よりやや大きめの輪郭の凹部が成され、この凹部に、調節板２０３が嵌め込まれネジ止めされている。調節板２０３は、中央部が背板部１０３にネジ止めされ、２つの壁部１０４に対応する部分が弾性変位可能に壁部１０４に押し付けられている。調節板２０３は、可撓性のある金属性の薄板からなっている。また、２つの壁部１０４の外側面には調節ネジ２０４が螺着され、これら調節ネジ２０４の先端がそれぞれ調節板２０３に当接している。
【００３０】
なお、２つの壁部１０４は、ミラーユニット１０ｃが図２の光学エンジンに配置されたときに、各内側面が、それぞれ、ランプユニット１０ａ、１０ｂからの光の進行方向に対して略４５°の角度で傾くように形成されている。
【００３１】
ミラーホルダ２００には、ミラー２０１が装着されている。また、ミラーホルダ２００の上下の面には、それぞれ同軸となる位置に、軸２０２が突設されている。ミラーホルダ２００の下面に配された軸２０２は下板部１０２に配された軸穴に嵌合し、上面に配された軸２０２は軸受けを介してトルクリミッタ４０２に装着されている。
【００３２】
上板部１０１の上面には、ボスを介して基板３００が装着されている。基板３００には、下面に２つの検出スイッチ３０１、３０２が装着されている。これら検出スイッチ３０１、３０２は、ミラーホルダ２００が回動終端位置にあるときに、ミラーホルダ２００上面の突起（図示せず）に押されてＯＮされる。
【００３３】
駆動部４００は、トルクリミッタ４０２が配されたギア４０１と、ギア４０３と、モータ４０４と、モータ４０４の駆動軸に装着されたギア（図示せず）と、カバー４０５と、下板部１０２側に配されたコイルバネ４０６を備えている。トルクリミッタ４０２は、一定以上のトルクが掛かったときにギア４０１を空転させる。ギア４０３はカバー４０５に回動可能に装着されている。また、カバー４０５には、トルクリミッタ４０２の軸４０２ａと係合する軸穴が形成されている。カバー４０５は、壁部１０４の外側面に形成されたボスにネジ止めされている。モータ４０４は、２つの壁部１０４の間に配された凹部１０５に装着されている。
【００３４】
モータ４０４からの駆動力は、モータ４０４の駆動軸に装着されたギアと、ギア４０３、４０１を介してトルクリミッタ４０２に伝達され、さらに、トルクリミッタ４０２に装着されたミラーホルダ２００上面の軸２０２に伝達される。これにより、ミラーホルダ２００とともにミラー２０１が回動する。
【００３５】
下板部１０２の裏側には、コイルバネ４０６が装着されている。コイルバネ４０６は、ミラーホルダ２００の下面に形成された鉤部と下板部１０２の裏面に形成された鉤部の間に両端が係止されるようにしてミラーユニット１０ｃに取り付けられている。コイルバネ４０６は、図３（ａ）の状態では、同図手前の壁部１０４に押し付ける方向にミラーホルダ２００を付勢し、図３（ｂ）の状態では、同図奥側の壁部１０４に押し付ける方向にミラーホルダ２００を付勢する。
【００３６】
ミラーホルダ２００の回動終了位置は、調整ネジ２０４による調節板２０３の持ち上げ量によって調整され得る。ミラーユニット１０ｃが図２に示す光学エンジンに組み込まれた際には、各ランプユニット１０ａ、１０ｂからの光がともにフライアイインテグレータ１１に適正に向かうよう、調整ネジ２０４による調節板２０３の持ち上げ量が調整される。
【００３７】
同図（ａ）の状態にあるときには、ランプユニット１０ｂからの光がミラー２０１により反射されてフライングアイインテグレータ１１へと導かれる。この状態から、使用するランプユニットを切り替える場合には、モータ４０４を駆動してミラーユニット２００を反時計方向に回動させる。この回動は、検出スイッチ３０２がＯＮされてから一定時間が経過するまで継続される。
【００３８】
この間に、ミラーユニット２００が調節板２０３に押し付けられ、ミラー２０１が同図（ｂ）に示す位置に位置づけられる。なお、かかる押し付けの際、トルクリミッタ４０２の作用によりギア４０１が空転する。こうして、ミラーユニット２００が同図（ｂ）の状態に位置づけられ、ランプユニット１０ａからの光がミラー２０１により反射されてフライングアイインテグレータ１１へと導かれるようになる。なお、同図（ｂ）の状態から同図（ａ）の状態にミラーユニット１０ｃを切り替える場合、モータ４０４の駆動方向が上記と逆である他は、上記と同様の動作が行われる。
【００３９】
次に、図４ないし図８を参照して、ランプユニットの構成およびランプユニットの取り付け方法について説明する。なお、以下では１つのランプユニットを例に挙げて説明を行うが、以下に示すランプユニットの構成および取り付け方法は、図２に示す２つのランプユニット１０ａ、１０ｂの双方に適用されるものである。
【００４０】
図４は、ランプユニットとその取り付け部分の構成を示す図である。ランプユニットは、ランプ５００と、ランプ５００を保持するランプホルダ６００と、回路基板７００とを備えている。また、本体シャーシ側には、ランプホルダ６００を収容するホルダ収容部８００と、回路基板９００が配されている。なお、上記ミラーユニット２００は、図中のミラーユニット装着部８３０に装着される。
【００４１】
ランプホルダ６００は、ランプ５００が装着されるボックス部６１０を備え、ボックス部６１０の前面には、ランプ５００からの光を前方に導くための開口６１１が形成されている。また、ボックス部６１０の前面上部には、前方へ突出する鍔部６２０が形成され、この鍔部６２０に孔６２１が形成されている。さらに、ボックス部６１０の前面上部には、下方に突出する２つのピン６２２が形成されている。また、ボックス部６１０の後面上部には、後方へ突出するＬ字状の鍔部６３０が形成され、この鍔部６３０に、基板保持部６４０が延設されている。
【００４２】
図５（ａ）は、基板保持部６４０の拡大図である。基板保持部６４０には、上下に貫通する開口６４１が形成されており、また、上面に、Ｘ軸方向およびＹ軸方向に回路基板７００を係止するＬ字状の係止部６４２が形成されている。また、基板保持部６４０には、ネジ７１０が螺合するネジ穴６４３が形成されている。さらに基板保持部６４０の上面には、回路基板７００周縁が載置される載置部６４４が形成されている。
【００４３】
図６は、回路基板７００の構成を示す図である。同図（ａ）、（ｂ）は、それぞれ回路基板７００の上面図および裏面図である。回路基板７００には、２つの孔７０１が形成され、また、側面のネジ７１０に対応する位置に切り欠き７０２が形成されている。さらに、回路基板７００には、基板保持部６４０の係止部６４２に対応する位置に切り欠き７０３、７０４が形成されている。回路基板７００の裏面には、ＩＣを含む回路部７０５と、回路部７０５に電気的に接続されたコネクタ７０６が配されている。
【００４４】
図５（ａ）を参照して、回路基板７００は、切り欠き７０３、７０４を係止部６４２に嵌め込みながら周縁を載置部６４４に載せると、Ｘ軸方向とＺ軸方向に所定のストロークだけ変位可能となる輪郭形状を有している。また、載置部６４４は、このように回路基板７００が変位しても、回路基板７００が開口６４１内に落ち込まないような幅をもっている。
【００４５】
図４に戻り、ホルダ収容部８００は、前面および上面が開放さられたボックス装着部８１１を備え、このボックス装着部８１１に、ランプホルダ６００側のボックス部６１０が装着される。ボックス装着部８１１の前側上部には、ランプホルダ６００側の２つの孔６２１とそれぞれ係合するピン８１２が形成されている。また、ボックス装着部８１１の前側底部には、ランプホルダ６００側の２つのピン６２２とそれぞれ係合する孔８１３（図４には図示せず。図７参照）が形成されている。さらに、ボックス装着部８１１には、ランプホルダ６００の装着時にボックス部６１０の背面を係止してランプホルダ６００を案内する一対のガイド部８１４が上下方向に延びるように形成されている。また、ボックス装着部８１１の２つの壁には、ボックス装着部８１１内に風を通すための通気口８１５が形成されている。
【００４６】
ホルダ収容部８００には、ランプホルダ６００の装着時にランプホルダ６００側の基板保持部６４０に対向する位置に基板保持部８２０が形成されている。
【００４７】
図５（ｂ）は、基板保持部８２０の拡大図である。基板保持部８２０は、凹部８２１と、凹部８２１に突設された２つのピン８２２およびネジ穴８２３とを有する。また、凹部８２１を囲む壁のうちネジ穴８２３近傍の壁に切り欠き８２４が形成されている。
【００４８】
回路基板９００には、基板保持部８２０側の２つのピン８２２とそれぞれ係合する切り欠き９０１と孔９０２が形成されている。また、回路基板９００の上面には、ランプホルダ６００側に配された回路基板７００上のコネクタ７０６と接合するコネクタ９０３と、コネクタ９０３をメイン基板に電気的に接合するためのコネクタ９０４が装着されている。かかる回路基板９００は、ネジ９０５をネジ穴８２３に螺着することにより、基板保持部８２０に装着される。
【００４９】
図４に戻り、ランプユニットの取り付け時には、まず、ランプ５００がランプホルダ６００のボックス部６１０に装着される。次に、回路基板７００がランプホルダ６００の基板保持部６４０に装着される。図５（ａ）を参照して、回路基板７００の装着は、切り欠き７０３、７０４をＬ字状の係止部６４２に嵌め込みながら、回路基板７００を載置部６４４に載置し、さらに、ネジ７１０をネジ穴６４３に螺合させることにより行われる。このとき、ネジ７１０は、回路基板７００の上面との間に僅かに隙間があるようにネジ穴６４３に螺合される。これにより、回路基板７００は、Ｘ軸方向およびＺ軸方向に所定のストロークだけ変位可能な状態で、基板装着部６４０に装着される。
【００５０】
図４に戻り、一方、本体シャーシ側では、基板保持部８２０に回路基板９００が装着される。図５（ｂ）を参照して、回路基板９００の装着は、切り欠き９０１と孔９０２をそれぞれ２つのピン８２２に嵌合させながら、回路基板９００を切り欠き８２４と、ピン８２２根本の台座部８２２ａに載せる。台座部８２２ａ上面と切り欠き８２４上面は同じ高さとなっている。しかる後、ネジ９０５をネジ穴８２３に螺着する。
【００５１】
ここで、切り欠き９０１と孔９０２は、略遊びなくピン８２２に係合する。よって、上記のように回路基板を切り欠き８２４と、ピン８２２根本の台座部８２２ａに載せると、回路基板９００は、基板保持部８２０に対して、Ｘ軸方向およびＺ軸方向に位置決めされる。また、ネジ９０５は、回路基板９００上面に圧接されるまでネジ穴８２３に螺着される。これにより、回路基板９００は、Ｙ軸方向にも変位不能となり、Ｙ軸方向に位置決めされる。
【００５２】
図７は、２つの回路基板７００、９００が、それぞれ基板保持部６４０、８２０に装着された状態を示す図である。しかる後、ランプホルダ６００は、ボックス部６１０背面を、ガイド部８１４に当接させながら、ボックス装着部８１１内に押し込むことにより、ホルダ収容部８００に取り付けられる。
【００５３】
なお、ボックス装着部８１１の前方内側面とガイド部８１４の間の距離は、ボックス部６１０のＸ軸方向の長さより僅かに大きくなっている。よって、ランプホルダ６００は、ボックス部６１０背面を、ガイド部８１４に当接させながら、ボックス装着部８１１内に押し込むことにより、ホルダ収容部８００の所定の位置に収容される。
【００５４】
こうしてランプホルダ６００をボックス装着部８１１に押し込むと、ランプホルダ６００がホルダ収容部８００内の所定の位置に到達する手前で、ホルダ収容部８００側の２つのピン８１２の先端がランプホルダ６００側の２つの孔６２１に挿入され、また、ランプホルダ６００側の２つのピン６２２の先端がホルダ収容部８００側の２つの孔８１３に挿入される。このとき、同時に、基板保持部８２０に突設された２つのピン８２２の先端が、回路基板７００の２つの孔７０１に挿入される。
【００５５】
ここで、ピン８１２、６２２は、何れも、端部が先細りとなっているため、この状態からさらにランプホルダ６００がボックス装着部８１１に押し込まれると、ランプホルダ６００は、これらピン８１２、６２２先端の傾斜に案内されて所定の位置に位置づけられる。こうして、ランプホルダ６００に装着されたランプ５００の光軸が、後段の光学系に対して適正化される。
【００５６】
また、ピン８２２の端部にも、先細りとなった傾斜部８２２ｂ（図５（ｂ）参照）が形成されているため、上記のようにピン８２２が孔７０１に挿入された状態からさらにランプホルダ６００がボックス装着部８１１に押し込まれると、回路基板７００は、ピン８２２先端の傾斜部８２２ｂに案内されてＸ軸方向およびＺ軸方向に変位する。これにより、回路基板７００に配されたコネクタ７０６が、回路基板９００側のコネクタ９０３に正しく向き合うようになり、その後、さらにランプホルダ６００が押し込まれることで、コネクタ７０６とコネクタ９０３の接合がなされる。
【００５７】
図８（ａ）は、ランプホルダ６００がボックス装着部８１１に完全に押し込まれたときの状態を示す図である。図８（ｂ）は、そのときの基板収容部６４０、８２０近傍の状態を示す斜視図であり、図８（ｃ）は、図８（ｂ）において基板７００を取り除いた状態の斜視図である。
【００５８】
図示の如く、ランプホルダ６００がボックス装着部８１１に完全に押し込まれた状態において、ランプ５００の位置決めがなされ、かつ、回路基板７００のコネクタ７０６と回路基板９００のコネクタ９０３が接合される。
【００５９】
図９は、図８（ｂ）のＡ−Ａ’断面図である。ピン８２２の長さは、回路基板７００上のコネクタ７０６に、回路基板９００上のコネクタ９０３が接合し始めるよりも前に、ピン８２２の先端より根本の部分が回路基板７００の孔７０１に嵌合するような長さに設計される。こうすることで、コネクタ７０６とコネクタ９０３が接合し始める際には両コネクタ間の位置決めが完了した状態となり、コネクタ７０６とコネクタ９０３を円滑に接合することができる。
【００６０】
図１０に、本実施の形態に係るプロジェクタの回路構成を示す。なお、同図には、ランプユニット１０ａ、１０ｂとミラーユニット１０ｃに関連する構成のみが示され、その他の構成は割愛されている。
【００６１】
ランプ電源５１は、コントローラ５４からの制御信号に応じて、リレー回路５２にランプ駆動用の電力を供給する。また、ランプ電源５１は、ランプ５００に印加される電圧を監視して、ランプが点灯しているかを判定し、その判定結果をコントローラ５４に供給する。具体的には、印加電圧が所定の閾値未満にあるときにランプが点灯していることを示す判定結果をコントローラ５４に供給し、印加電圧が所定の閾値を超えたときにランプが消灯していることを示す判定結果をコントローラ５４に供給する。
【００６２】
リレー回路５２は、ランプユニット１０ａ、１０ｂのうち、コントローラ５４から指示された方のランプユニットに、ランプ電源５１からの電力を供給する。なお、リレー回路５２には、ミラーユニット１０ｃに配された上記検出スイッチ３０１、３０２からの信号が入力されている。ミラーユニット１０ｃ内のミラー２０１がランプユニット１０ａの方に向けられているときには検出スイッチ３０１がオンされて、検出スイッチ３０１からＯＮ信号がリレー回路５２に入力される。他方、ミラー２０１がランプユニット１０ｂの方に向けられているときには検出スイッチ３０２がオンされて、検出スイッチ３０２からのＯＮ信号がリレー回路５２に入力される。
【００６３】
リレー回路５２は、ランプユニット１０ａに電力供給するための制御信号がコントローラ５４から入力されても、検出スイッチ３０１からＯＮ信号が入力されていなければ、ランプ電源５１からの電力をランプユニット１０ａに供給せず、同様に、ランプユニット１０ｂに電力供給するための制御信号がコントローラ５４から入力されても、検出スイッチ３０２からＯＮ信号が入力されていなければ、ランプ電源５１からの電力をランプユニット１０ｂに供給しないよう回路構成されている。
【００６４】
ミラードライバ５３は、コントローラ５４からの制御信号に応じて、ミラーユニット１０ｃを駆動する。ミラーユニット１０ｃの駆動時に、コントローラ５４は、ミラーユニット１０ｃ内に配された上記検出スイッチ３０１、３０２からの信号を監視する。そして、当該駆動方向の検出スイッチからＯＮ信号が入力された後、一定期間に亘って、当該駆動方向にミラー２０１をさらに駆動するための制御信号をミラードライバ５３に供給する。これにより、ミラー２０１が確実に、所期の切り替え位置に位置づけられる。
【００６５】
なお、かかる制御が実行されると、モータ４０４は、ミラーホルダ２００の背面が調節板２０３に当接した後も、引き続き駆動され続ける。しかし、この場合、上記の如くトルクリミッタ４０２によってモータ４０４の駆動力が吸収されるため、モータ４０４の過負荷による損傷やミラーホルダ２００の歪によるミラー２０１の角度ずれ等の問題は起こらない。
【００６６】
コントローラ５４は、ＣＰＵ（図示せず）とスイッチ５４ａを備え、予め格納された制御プログラムに従って各部を制御する。スイッチ５４ａは、ランプユニット１０ａ、１０ｂにそれぞれ配された回路部７０５のうち何れか一方をコントローラ５４内のデータバスに接続する。コントローラ５４は、スイッチ５４ａを切り替えて、ランプユニット１０ａ、１０ｂに配された回路部７０５のうち何れか一方と通信路を確立する。そして、当該通信路を介して、回路部７０５からランプ管理情報を取得し、取得した管理情報を、メモリ５５に格納する。コントローラ５４には、上記リモコンを介して、ユーザから各種指令が入力される。
【００６７】
なお、コントローラ５４と、ランプユニット１０ａ、１０ｂに配された回路部７０５との間の通信に関する構成およびその制御動作については、追って、図１１および図１２を参照して詳述する。
【００６８】
図１０の構成において、使用されるランプが一方のランプから他方のランプの切り替えられる場合、コントローラ５４は、ランプ電源５１に給電を停止させ、その後、他方のランプからの光を反射する位置にミラー２０１を回動させるための制御信号をミラードライバ５３に供給する。これにより、ミラー２０１が回動される。
【００６９】
その後、ミラー２０１が適正位置まで回動されると、検出スイッチ３０１、３０２の何れか一方からＯＮ信号がコントローラ５４に供給される。コントローラ５４は、ＯＮ信号を受信してから上記一定期間が経過した後、ランプ電源５１に給電開始の制御信号を出力し、同時に、リレー回路５２に、他方のランプに電力を供給するための制御信号を出力する。これにより、他方のランプが点灯し、画像の投写が行われる。
【００７０】
次に、図１１を参照して、コントローラ５４のランプ運用に関連する構成について説明する。
【００７１】
同図（ａ）は、コントローラ５４と回路部７０５のシステムブロック図、同図（ｂ）は、記憶部７１ａ、７１ｂに格納されるランプ管理情報の内容を示す図、同図（ｃ）は、ランプ管理情報のうち使用経歴データの構成を示す図である。なお、同図（ａ）では、スイッチ５４ａと回路部７０５との間に介在するコネクタ７０６、９０３や、中間的な回路基板９００が図示省略されている。
【００７２】
同図（ａ）に示す如く、ランプユニット１０ａ、１０ｂの回路部７０５は、制御部７０ａ、７０ｂと、記憶部７１ａ、７１ｂを備えている。制御部７０ａ、７０ｂは、記憶部７１ａ、７１ｂに対するデータの書き込み／読出しを制御する。記憶部７１ａ、７１ｂは、ランプ管理情報として同図（ｂ）に示すデータを格納する。
【００７３】
ここで、ランプ識別情報は、積算時間データと使用経歴データを含んでいる。積算時間データは、ランプ５００の使用積算時間を示すデータである。なお、「使用積算時間」とは、ランプ５００が製造後最初に使用された後のトータルの使用時間であって、最初に使用された後、現在までに点灯した時間を全て加算したものである。
【００７４】
使用経歴データは、同図（ｃ）に示す如く、准動作不良に関するフラグと完全動作不良に関するフラグを含んでいる。ここで、准動作不良に関するフラグは、当該ランプ５００について過去に１回点灯の失敗があると“１”とされ、点灯の失敗が全くなかった場合には“０”とされる。また、完全動作不良に関するフラグは、過去に２回点灯の失敗があったために当該ランプ５００が完全に動作不良（使用不可）とされた場合に“１”とされ、そうでないときに“０”とされる。
【００７５】
すなわち、准動作不良とは、当該ランプ５００について過去に１回点灯の失敗があった状態をいい、完全動作不良とは、過去に２回点灯の失敗があった（准動作不良の状態でさらにもう１回点灯に失敗した）状態をいう。
【００７６】
同図（ａ）に戻り、コントローラ５４は、通信制御部６１と、記憶部６２と、点灯・消灯検出部６３と、時間計測部６４と、演算部６５と、ランプ運用部６６と、寿命判定部６７と、動作不良判定部６８とを有する。
【００７７】
通信制御部６１は、スイッチ５４ａを切り替え制御して、ランプユニット１０ａ、１０ｂに配された回路部７０５のうち何れか一方と通信路を確立する。そして、通信路を確立した回路部７０５の記憶部７１ａ、７１ｂから上記ランプ管理情報を取得する。
【００７８】
記憶部６２は、通信制御部６１によって取得されたランプ管理情報を格納する。記憶部６２に格納されたランプ管理情報は、ランプ使用時に、演算部６５と動作不良判定部６８による処理によって随時更新される。なお、記憶部６２は、上記メモリ５５内にランプ管理情報の記憶領域を設定する。記録部６２は、ランプ管理情報の他に、後述の手動設定データや自動設定データ等のランプ運用に必要な情報を記憶する。
【００７９】
点灯・消灯検出部６３は、ランプ電源５１から供給されるランプ点灯の判定結果をもとに、点灯対象のランプ５００の点灯開始と点灯終了を判定する。具体的には、ランプ５００の駆動動作時に、ランプ電源５１からランプ５００が点灯状態にあることを示す判定結果が供給され始めたタイミングでランプ５００の点灯が開始したことを検出し、その後、ランプ電源５１からランプ５００が消灯状態になったことを示す判定結果が供給されたタイミングでランプ５００の点灯終了を検出する。なお、ランプ５００の切り替え時や投写動作の終了時等、ランプ５００の点灯動作が終了される場合、点灯・消灯検出部６３は、
ランプ５００への電力供給が停止されたタイミングにおいてランプ５００の消灯を検出する。
【００８０】
時間計測部６４は、点灯・消灯検出部６３から点灯開始信号が入力されると時間の計測を開始し、一定時間間隔で、計測結果を演算部６５に受け渡す。また、時間計測部６４は、点灯・消灯検出部６３からの点灯終了信号が入力されると時間の計測を終了し、終了時点の計測結果を演算部６５に受け渡す。
【００８１】
演算部６５は、記憶部６２に格納されたランプ管理情報のうち積算時間データと、時間計測部６４から入力される経過時間の計測結果をもとに積算時間データを更新し、更新した積算時間データを記憶部６２に書き戻す。なお、更新された積算時間データは、随時、対応するランプユニット１０ａ、１０ｂの記憶部７１ａ、７１ｂに書き戻される。
【００８２】
ランプ運用部６６は、ユーザからの設定操作に応じて、ランプの点灯制御を行う。点灯制御の詳細については、追って、図１６以降を参照して説明する。ランプ運用部６６は、ランプ点灯制御におけるモード設定のためのモード設定部６６ａを備えている。ランプ運用モードの設定は、このモード設定部６６ａによってユーザメニューが投写されることにより行われる。
【００８３】
すなわち、モード設定部６６ａは、予めモード選択用のユーザメニューを保持している。モード設定時には、ランプ運用部６６を介してユーザメニューが投写され、ユーザは、リモコン操作によって、所望のランプ運用モードを選択する。選択結果は、モード設定部６６ａに保持される。ランプ運用部６６は、モード設定部６６ａに保持されたランプ運用モードに応じて、ランプの点灯制御を行う。
【００８４】
寿命判定部６７は、予め、装着対象のランプの寿命基準時間を保持しており、この寿命基準時間をランプの使用積算時間が超えたときに、当該ランプの寿命が尽きたと判定する。ランプユニット１０ａ、１０ｂの装着時において、寿命判定部６７は、各ランプユニット１０ａ、１０ｂに保持されている使用積算時間を参照して各ランプの寿命が残っているかを判定し、判定結果（寿命フラグ）を保持する。また、ランプ点灯時において、寿命判定部６７は、演算部６５において随時更新される積算時間データを参照し、使用対象のランプの寿命が尽きたかを判定し、判定結果（寿命フラグ）を随時更新する。
【００８５】
動作不良判定部６８は、記憶部６２に格納されたランプ管理情報のうち使用経歴データと、点灯・消灯検出部６３から入力される点灯開始および点灯終了の検出結果をもとに、点灯対象ランプの動作状況（通常／准動作不良／完全動作不良）を判別し、判別結果に応じて、記憶部６２に格納された使用経歴データを更新する。なお、更新された使用経歴データは、随時、対応するランプユニット１０ａ、１０ｂの記憶部７１ａ、７１ｂに書き戻される。なお、動作不良判定部６８における処理については、追って、図１４および図１５を参照して説明する。
【００８６】
以下、図１１（ａ）のシステム構成におけるランプ運用制御について説明する。
【００８７】
まず、図１２（ａ）を参照して、ランプ管理情報の初期化について説明する。
【００８８】
プロジェクタの電源が投入されると、装着されたそれぞれのランプユニットから順次ランプ管理情報を取得する処理が行われる。
【００８９】
ランプユニット１０ａに対してランプ管理情報の取得が行われる場合（Ｓ１０１：ＹＥＳ）、通信制御部６１は、ランプユニット１０ａの回路部７０５との間で通信路を確立する（Ｓ１０２）。そして、通信制御部６１は、通信路を確立した回路部７０５と通信を行い（Ｓ１０３）、当該回路部７０５の記憶部７１ａからランプ管理情報を読み出し（Ｓ１０４）、読み出したランプ管理情報で記憶部６２のランプユニット１０ａのランプ管理情報格納領域を初期化する（Ｓ１０５）。ランプユニット１０ｂに対してランプ管理情報の取得が行われる場合（Ｓ１０１：ＹＥＳ）、通信制御部６１は、ランプユニット１０ｂの回路部７０５との間で通信路を確立し（Ｓ１０２）、以下、Ｓ１０３〜Ｓ１０５の処理により、記憶部６２のランプユニット１０ａのランプ管理情報格納領域を初期化する。
【００９０】
次に、図１２（ｂ）を参照して、積算時間データの更新について説明する。なお、かかる積算時間データの更新処理は、ランプユニット１０ａ、１０ｂの何れかが点灯動作に入ると必ず実行される。
【００９１】
点灯対象のランプユニット１０ａまたは１０ｂに対する点灯が開始されると（Ｓ１１１：ＹＥＳ）、時間計測部６４による経過時間の計測が開始される。これと同時に、演算部６５は、時間計測部６４による計測時間と記憶部６２に格納された積算時間データをもとに当該ランプユニット１０ａまたは１０ｂの使用積算時間を更新する。そして、更新した使用積算時間を、随時、記憶部６２に上書きするとともに、当該ランプユニット１０ａまたは１０ｂの記憶部７１ａまたは７１ｂに書き戻す（Ｓ１１２）。
【００９２】
かかる使用積算時間の更新記憶は、当該ランプユニット１０ａまたは１０ｂの点灯が終了するまで（Ｓ１１３：ＹＥＳ）、継続される。当該ランプユニット１０ａまたは１０ｂの点灯が終了されると（Ｓ１１３：ＹＥＳ）、時間計測部６４と演算部６５における経過時間の計測と使用積算時間の演算が終了され（Ｓ１１４）、そのときの使用積算時間がランプユニット１０ａまたは１０ｂの記憶部７１ａ、７１ｂに書き戻される（Ｓ１１５）。これにより、処理が終了する。
【００９３】
図１３は、ランプ動作中にランプ切り替えが行われる場合の通信路の切り替え／設定処理を示すフローチャートである。
【００９４】
画像投写のためにランプ動作が開始されると（Ｓ１２１：ＹＥＳ）、通信制御部６１は、ランプユニット１０ａ、１０ｂのうち点灯対象のランプユニットの回路部７０５との間で通信路を確立する（Ｓ１２２）。かかる通信路は、使用対象のランプが切り替えられるか（Ｓ１２３：ＹＥＳ）、ランプ動作（投写動作）が終了する（Ｓ１２４：ＹＥＳ）まで維持される。
【００９５】
ランプ動作の途中で、たとえば、ユーザによる切り替え操作によって、使用対象のランプが切り替えられると、通信制御部６１は、点灯中のランプユニットの回路部７０５との通信路を遮断し（Ｓ１２５）、切り替え後の、新たに点灯対象とされるランプユニットとの回路部７０５との間で通信路を確立する（Ｓ１２２）。また、ランプ動作（投写動作）が終了すると（Ｓ１２４：ＹＥＳ）、通信制御部６１は、点灯中のランプユニットの回路部７０５との通信路を遮断する（Ｓ１２６）。
【００９６】
次に、図１４および図１５を参照して、ランプの動作不良を判別するための処理について説明する。
【００９７】
＜ランプ始動時の動作不良判別＞
図１４は、ランプ始動時における動作不良の判別処理を示すフローチャートである。
【００９８】
ランプの始動に先立って、ランプ運用部６６と動作不良判別部６８は、記憶部６２に格納された使用対象のランプユニットの使用経歴データを参照する（Ｓ２１１）。ここで、使用経歴データが完全動作不良（完全動作不良フラグ＝１）であれば（Ｓ２１２：ＹＥＳ）、ランプ運用部６６は、当該ランプの点灯を行わない。この場合、動作不良判別部６８による使用経歴データの更新は行われない。
【００９９】
使用経歴データが完全動作不良（完全動作不良フラグ＝１）でなければ（Ｓ２１２：ＮＯ）、ランプ運用部６６は、ランプ始動実行回数Ｎの計測を開始し（Ｓ２１３）、その後、使用対象のランプを始動する度に（Ｓ２１４）、ランプ始動実行回数Ｎを１カウントアップする。さらに、ランプ運用部６６は、かかる始動に対して点灯・消灯検出部６３が点灯開始を検出したかを判定する（Ｓ２１５）。
【０１００】
１回目の始動によりランプが点灯すると（Ｓ２１５：ＹＥＳ）、ランプ運用部６６は、ランプ始動実行回数Ｎの計測を終了する（Ｓ２２１）。これにより、ランプ始動時の動作不良判別は終了する。この場合、動作不良判別部６８は、使用経歴データの更新を行わない。
【０１０１】
１回目の始動によりランプが点灯しなければ（Ｓ２１５：ＮＯ）、ランプ運用部６６は、その後、ランプ始動実行回数Ｎが予め決められた回数Ｎｓになるまでランプ始動を繰り返す（Ｓ２１６）。その間にランプが点灯すると（Ｓ２１５：ＹＥＳ）、ランプ運用部６６は、ランプ始動実行回数Ｎの計測を終了する（Ｓ２２１）。これにより、ランプ始動時の動作不良判別は終了する。この場合、動作不良判別部６８は、使用経歴データの更新を行わない。
【０１０２】
一方、ランプ始動実行回数ＮがＮｓとなってもランプが点灯しなければ（Ｓ２１６：ＮＯ）、その結果が動作不良判別部６８に通知される。これを受けて、動作不良判別部６８は、当該ランプユニットの使用経歴データが准動作不良（完全動作不良フラグ＝０、准動作不良フラグ＝１）であるかを判定する（Ｓ２１７）。
【０１０３】
この判定が准動作不良でなければ（Ｓ２１７：ＮＯ）、動作不良判別部６８は、当該ランプユニットの状況を准動作不良として（Ｓ２１８）、記録部６２に格納された使用経歴データを更新し、さらに、更新された使用経歴データを、通信制御部６１を介して、対応するランプユニットの記憶部７１ａまたは７１ｂに上書きする（Ｓ２２０）。
【０１０４】
また、Ｓ２１７における判定が准動作不良である場合（Ｓ２１７：ＹＥＳ）、動作不良判別部６８は、当該ランプユニットの状況を完全動作不良として（Ｓ２１９）、記録部６２に格納された使用経歴データを更新し、さらに、更新された使用経歴データを、通信制御部６１を介して、対応するランプユニットの記憶部７１ａまたは７１ｂに上書きする（Ｓ２２０）。
【０１０５】
こうして、使用経歴データの更新が終わると、ランプ運用部は、ランプ始動実行回数Ｎの計測を終了する（Ｓ２２１）。これにより、ランプ始動時の動作不良判別は終了する。
【０１０６】
＜ランプ点灯中の動作不良判別＞
図１５は、ランプ点灯時における動作不良の判別処理を示すフローチャートである。
【０１０７】
ランプユニットの点灯動作中にランプが消灯すると（Ｓ２３１：ＹＥＳ）、動作不良判別部６８は、当該ランプの使用経歴データを参照し（Ｓ２３２）、当該ランプユニットの使用経歴データが准動作不良（完全動作不良フラグ＝０、准動作不良フラグ＝１）であるかを判定する（Ｓ２３３）。
【０１０８】
この判定が准動作不良でなければ（Ｓ２３３：ＮＯ）、動作不良判別部６８は、当該ランプユニットの状況を准動作不良として（Ｓ２３４）、記録部６２に格納された使用経歴データを更新し、さらに、更新された使用経歴データを、通信制御部６１を介して、対応するランプユニットの記憶部７１ａまたは７１ｂに上書きする（Ｓ２３６）。これにより、ランプ点灯時の動作不良判別は終了する。
【０１０９】
また、Ｓ２３３における判定が准動作不良である場合（Ｓ２３３：ＹＥＳ）、動作不良判別部６８は、当該ランプユニットの状況を完全動作不良として（Ｓ２３５）、記録部６２に格納された使用経歴データを更新し、さらに、更新された使用経歴データを、通信制御部６１を介して、対応するランプユニットの記憶部７１ａまたは７１ｂに上書きする（Ｓ２３６）。これにより、ランプ点灯時の動作不良判別は終了する。
【０１１０】
次に、本実施の形態におけるランプの切り替え制御について説明する。
【０１１１】
本実施の形態では、ランプの切り替えモードとして、手動切り替えモードと、自動切り替えモードと、寿命優先モードと、継続優先モードとが準備されている。ユーザは、外部操作によって、適宜、手動切り替えモードと自動切り替えモードの何れかを選択設定でき、また、寿命優先モードと継続優先モードの何れかを選択設定できる。
【０１１２】
寿命優先モードと継続優先モードは、プロジェクタが手動切り替えモードまたは自動切り替えモードに設定されたときに、これと並行して実行される。寿命優先モードと継続優先モードでは、点灯中のランプの寿命に基づいて、使用ランプの切り替えまたはランプ動作の停止が行われる。ここでのランプ運用は、手動切り替えモードと自動切り替えモードにおけるランプ運用に優先される。
【０１１３】
手動切り替えモードの実行中に自動切り替えモードが設定されても、プロジェクタでは設定モードの変更が行われるのみで、使用ランプは切り替わらない。これに対し、自動切り替えモードの実行中に手動切り替えモードが設定された場合は、設定モードの変更とともに使用ランプの切り替えが起こり得る。この場合、手動切り替えモードの設定時に選択されたランプが、自動切り替えモードの実行中に点灯していたランプと異なればランプの切り替えが起こり、両モードの変更前後で使用対象のランプが同じであれば、ランプの切り替えは起こらない。
【０１１４】
なお、本実施の形態では、手動切り替えモードの設定時に、ユーザは、使用するランプを選択できるようになっている。これに替えて、手動切り替えモードの操作入力が行われる毎に、その時に点灯中のランプから他のランプに使用ランプが切り替えられるようにしても良い。
【０１１５】
また、ユーザは、寿命優先モードと継続優先モードの選択設定を、手動切り替えモードまたは自動切り替えモードの実行中の他、手動切り替えモードまたは自動切り替えモードの実行前等、プロジェクタの動作中において適宜行える。
【０１１６】
上記各モードが設定された状態で、ランプ動作（画像投写）が終了し、あるいは、プロジェクタの電源がＯＦＦされると、プロジェクタは、そのとき設定されていた各モードを保持し、次回ランプ動作（画像投写）が開始される場合には、保持されたモードによってランプ動作を実行する。
【０１１７】
以下では、便宜上、ランプユニット１０ａ、１０ｂの一方およびそれに装着されたランプをランプ１と称し、他方およびそれに装着されたランプをランプ２と称して説明を行う。
【０１１８】
＜手動切り替えモード＞
まず、図１６を参照して、手動切り替えモードについて説明する。同図（ａ）は、手動切り替えモードの処理フローであり、同図（ｂ）は、手動切り替えモードにおいて記憶部６２に保持される手動設定データの構成を示す図である。
【０１１９】
同図（ｂ）の手動設定データは、手動切り替えモードの設定時に、ランプ１、２のうち何れが選択されたかを特定するデータである。ここでは、フラグが“１”のランプが手動切り替えモードの設定の際に選択されている。手動切り替えモードの設定状態でランプ動作が終了すると、その時の手動設定データが保持される。その後、ランプ選択がなされずに再び手動切り替えモードのままランプ動作が開始されると、保持された手動設定データに従って使用ランプが設定される。
【０１２０】
同図（ａ）を参照して、手動切り替えモードが設定されている状態において、ランプ動作（画像投写）が開始されると、ランプ運用部６６は、記憶部６２に格納された手動設定データを参照し（Ｓ３１１）、点灯対象に設定されているランプを特定する。そして、ランプ運用部６６は、こうして特定したランプの使用経歴データを参照し、当該ランプが点灯可能なものであるか（完全動作不良でないか）を判定する（Ｓ３１２）。
【０１２１】
ここで、当該ランプが点灯可能でなければ（Ｓ３１２：ＮＯ）、ランプ運用部６６は、当該手動切り替えモードをＮＧとする（Ｓ３１３）。この場合、その旨が、音声等によって、ユーザに報知される。一方、当該ランプが点灯可能であれば（Ｓ３１２：ＹＥＳ）、ランプ運用部６６は、当該ランプを点灯させる（Ｓ３１４）。
【０１２２】
こうしてランプを点灯させた後、ランプ運用部６６は、ユーザからランプ切り替えの操作入力がないか（Ｓ３１５）、および、ランプ動作（画像投写）の終了処理がないか（Ｓ３１６）を監視し、これらがなければ（Ｓ３１５：ＮＯ、Ｓ３１６：ＮＯ）、当該ランプの点灯動作を継続する。
【０１２３】
ランプ点灯中に、ユーザからランプ切り替えの操作入力がなされると（Ｓ３１５：ＹＥＳ）、ランプ運用部６６は、点灯中のランプを消灯させ（Ｓ３１７）、手動設定データを他方のランプが選択された状態に更新する（Ｓ３１８）。そして、更新した手動設定データをもとにＳ３１１以降の処理を行う。これにより、他方のランプが点灯される（Ｓ３１４）。
【０１２４】
その後、再び、ユーザからランプ切り替えの操作入力がなされると（Ｓ３１５：ＹＥＳ）、ランプ運用部６６は、上記と同様にして、点灯ランプを切り替える。また、ランプ点灯中に、ランプ動作（画像投写）の終了処理があると（Ｓ３１６）、ランプ運用部６６は、点灯中のランプを消灯する（Ｓ３１９）。こうしてランプ動作が終了すると、その時の手動設定データが記憶部６２に保持される。
【０１２５】
＜自動切り替えモード＞
次に、図１７を参照して、自動切り替えモードについて説明する。同図（ａ）は、自動切り替えモードの処理フローであり、同図（ｂ）は、自動切り替えモードにおいて記憶部６２に保持される自動設定データの構成を示す図である。
【０１２６】
同図（ｂ）の自動設定データは、自動切り替えモードにおいて、現在、ランプ１、２のうち何れが点灯ランプに設定されているかを特定するデータである。ここでは、フラグが“１”のランプが、現在、点灯ランプに設定されている。この他、自動設定データには、点灯ランプに設定された時点（フラグが“１”に設定された時点）から現在までの当該ランプの点灯時間が変化量として保持されている。
【０１２７】
自動切り替えモードの設定状態でランプ動作が終了すると、その時の変化量をもとに自動設定データが更新されて記憶部６２に保持される。その後、再び自動切り替えモードのままランプ動作が開始されると、保持された自動設定データに従って使用ランプが設定される。
【０１２８】
同図（ａ）を参照して、自動切り替えモードが設定されている状態において、ランプ動作（画像投写）が開始されると、ランプ運用部６６は、記憶部６２に格納された自動設定データを参照し（Ｓ４１１）、点灯対象に設定されているランプを特定する。そして、ランプ運用部６６は、こうして特定したランプの使用経歴データを参照し、当該ランプが点灯可能なものであるか（完全動作不良でないか）を判定する（Ｓ４１２）。
【０１２９】
ここで、当該ランプが点灯可能であれば（Ｓ４１２：ＹＥＳ）、ランプ運用部６６は、当該ランプを点灯させる（Ｓ４１３）。一方、当該ランプが点灯可能でなければ（Ｓ４１２：ＮＯ）、ランプ運用部６６は、他方のランプの使用経歴データを参照して、他方のランプが点灯可能なものであるか（完全動作不良でないか）を判定する（Ｓ４１４）。ここで、他方のランプも点灯可能でなければ（Ｓ４１４：ＮＯ）、当該自動切り替えモードをＮＧとする（Ｓ４１５）。この場合、その旨が、音声等によって、ユーザに報知される。
【０１３０】
一方、他方のランプが点灯可能であれば（Ｓ４１４：ＹＥＳ）、ランプ運用部６６は、点灯ランプを他方のランプに切り替えて他方のランプを点灯させる（Ｓ４１６）。このとき、自動設定データのフラグが、他方のランプを点灯ランプとする状態に更新される。また、ランプ１、２の変化量が０にリセットされる。
【０１３１】
こうしてランプを点灯させた後、ランプ運用部６６は、時間計測部６４からの計測結果をもとに随時点灯ランプの変化量を更新する（Ｓ４１７）。当該ランプの点灯と変化量の更新は、手動モードへの切り替え処理が行われるか（Ｓ４１８：ＹＥＳ）、ランプ動作（画像投写）が終了するまで（Ｓ４１９：ＹＥＳ）、継続される。
【０１３２】
しかる後、ランプ動作（画像投写）が終了すると（Ｓ４１９：ＹＥＳ）、ランプ運用部６６は、点灯中のランプを消灯させ（Ｓ４２０）、その時の変化量が予め設定された閾値時間Ｔｓを超えているかを判定する（Ｓ４２１）。そして、変化量が閾値時間Ｔｓを超えていれば（Ｓ４２１：ＹＥＳ）、次回の自動切り替えモードの動作時に使用されるランプが現在のランプから切り替わるように自動設定データのフラグを更新し（Ｓ４２２）、同時に、ランプ１、ランプ２の変化量を０にリセットする。一方、変化量が閾値時間Ｔｓを超えていなければ（Ｓ４２１：ＮＯ）、ランプ運用部６６は、自動設定データの更新を行わずに、処理を終了する。
【０１３３】
ランプ点灯中に、手動モードへの切り替え処理が行われると（Ｓ４１８：ＹＥＳ）、ランプ運用部６６は、点灯中のランプを消灯させ（Ｓ４２４）、自動設定データのランプ１、ランプ２の変化量をリセットする。このとき、自動設定データのフラグは更新されない。よって、次回、自動切り替えモードが実行される際には、今回点灯されたランプが再び点灯される。
【０１３４】
図１８は、自動切り替えモード実行時の自動設定データの変遷を例示するタイミングチャートである。ここでは、ランプ１から使用が開始されている。また、使用開始時のランプ１の変化量は０となっている。
【０１３５】
ｔ０においてランプ動作が開始されると、ランプ１が点灯され、ｔ１においてランプ動作が終了されるまでの間、ランプ１の変化量が増加する。ｔ１においてランプ動作が終了したときのランプ１の変化量は閾値時間Ｔｓよりも小さい。よって、ここでは、ランプ１、２のフラグは更新されず、その後、再びｔ２においてランプ動作が開始されるまで、ランプ１の変化量はホールドされる。
【０１３６】
ｔ２においてランプ動作が開始されると、ランプ１が点灯され、ランプ１の変化量が増加する。ランプ１の変化量はｔ３においてランプ動作が終了するまで増加する。ｔ１においてランプ動作が終了したときのランプ１の変化量は閾値時間Ｔｓを超えている。よって、ランプ１、２のフラグは、次回のランプ動作時の使用ランプをランプ２とする状態に更新される。同時に、ランプ１、２の変化量が０にリセットされる。
【０１３７】
ｔ４において再びランプ動作が開始されると、ランプ２が点灯され、ｔ５においてランプ動作が終了されるまでの間、ランプ２の変化量が増加する。ｔ５においてランプ動作が終了したときのランプ２の変化量は閾値時間Ｔｓを超えている。よって、ランプ１、２のフラグは、次回のランプ動作時の使用ランプをランプ１とする状態に更新される。同時に、ランプ１、２の変化量が０にリセットされる。その後、ｔ６において再びランプ動作が開始されると、ランプ１が点灯され、ランプ１の変化量が増加する。
【０１３８】
次に、図１９および図２０を参照して、寿命優先モードと継続優先モードについて説明する。上記の如く、ユーザは、寿命優先モードと継続優先モードの何れかを選択設定できる。また、寿命優先モードと継続優先モードは、上記手動切り替えモードと自動切り替えモードの実行に並行して行われ、寿命優先モードと継続優先モードによるランプ運用は、上記手動切り替えモードと自動切り替えモードによるランプ運用よりも優先される。
【０１３９】
＜寿命優先モード＞
まず、図１９を参照して、寿命優先モードについて説明する。ここでは、寿命優先モードは、ランプ点灯中に実行され、ランプ点灯開始時には行われない。
【０１４０】
点灯対象のランプが点灯されると、寿命判定部６７は、記憶部６２に保持された積算時間データを参照し、点灯中のランプの使用積算時間が当該ランプの寿命基準時間を超えているか（残存寿命時間が０になったか）を判定する（Ｓ５０１）。点灯の進行の伴い点灯中のランプの寿命が尽きると（Ｓ５０1：ＹＥＳ）、Ｓ５０４に進んで、他のランプに対する処理が行われる。
【０１４１】
点灯中のランプの寿命が残っていれば（Ｓ５０１：ＮＯ）、次に、ランプ運用部６６は、動作不良判別部６８における判定において、点灯対象ランプの動作状況が変化したか（良品→准動作不良、または、准動作不良→完全動作不良の変化）を判定する（Ｓ５０２）。点灯中のランプの動作状況が変化すれば（Ｓ５０２：ＹＥＳ）、Ｓ５０５に進んで、他のランプに対する処理が行われる。点灯中のランプの動作状況が変化しなければ（Ｓ５０２：ＮＯ）、点灯対象ランプの点灯が維持され、演算部６５により点灯中のランプの使用積算時間が随時更新される（Ｓ５０３）。
【０１４２】
点灯中のランプの寿命が尽き（Ｓ５０１：ＹＥＳ）、あるいは、点灯中のランプの動作状況が変化すると（Ｓ５０２：ＹＥＳ）、寿命判定部６７は、記憶部６２に保持された積算時間データを参照し、他方のランプの使用積算時間が当該ランプの寿命基準時間を超えているか（残存寿命時間が０になったか）を判定する（Ｓ５０４）。他方のランプの寿命が尽きていれば（Ｓ５０５：ＹＥＳ）、ランプ運用部６６は、点灯中のランプを消灯してランプ動作（画像投写）を停止する（Ｓ５０８）。
【０１４３】
他方のランプの寿命が尽きていなければ（Ｓ５０５：ＮＯ）、次に、ランプ運用部６６は、記憶部６２に保持されている他方のランプの使用経歴データを参照して（Ｓ５０６）、他方のランプが完全動作不良でないかを判定する（Ｓ５０７）。ここで、他方のランプが完全動作不良であれば（Ｓ５０７：ＹＥＳ）、ランプ運用部６６は、点灯中のランプを消灯してランプ動作（画像投写）を停止する（Ｓ５０８）。
【０１４４】
他方のランプが完全動作不良でなければ（良品または准動作不良であれば）（Ｓ５０７：ＮＯ）、ランプ運用部６６は、点灯中のランプを消灯させて、点灯対象ランプを他方のランプに切り替える（Ｓ５０９）。このとき、並行して自動切り替えモードが設定されていれば、他方のランプを点灯ランプとする手動切り替えモードに切り替えられる。このとき、自動切り替えモードの自動設定データのフラグは変更されず、ランプ１、２の変化量が０にリセットされる。
【０１４５】
こうして他方のランプが点灯すると、Ｓ５０１に戻って、他方のランプに対する処理が行われる。他方のランプの点灯中にも、上記と同様、随時、他方のランプの寿命と動作不良が判定される（Ｓ５０１、Ｓ５０２）。そして、寿命が残存し、且つ、動作不良が発生しない間は、他方のランプが点灯され続ける。これ以外に、ランプ動作（画像投写）の終了指令があれば、これに応じて、他方のランプの点灯が終了される。
【０１４６】
なお、図１９の処理フローでは、Ｓ５０７において准動作不良とされた場合（Ｓ５０７：ＹＥＳ）にも、点灯対象ランプを他方のランプに切り替えるようにしたが（Ｓ５０９）、他方のランプが良品の場合にのみ点灯対象ランプを他方のランプに切り替えるようにしても良い。
【０１４７】
＜継続優先モード＞
次に、図２０を参照して、継続優先モードについて説明する。継続優先モードは、図１９の寿命優先モードにおけるＳ５０５、Ｓ５０７において、他のランプの寿命が尽き、あるいは、他のランプが完全動作不良と判定されたときの処理が、寿命優先モードに比べて異なっている。
【０１４８】
すなわち、他方のランプの寿命が尽きており（Ｓ５０５：ＹＥＳ）、あるいは、他方のランプが完全動作不良であると判定されると（Ｓ５０７：ＹＥＳ）、ランプ運用部６６は、記憶部６２に格納された使用経歴データを参照して、点灯中のランプが完全動作不良であるかを判定する（Ｓ５１１）。ここで、点灯対象のランプが完全動作不良でなければ（Ｓ５１１：ＮＯ）、ランプ運用部６６は、点灯中のランプの点灯を継続し（Ｓ５１３）、Ｓ５０１以降の処理を行う。
【０１４９】
一方、点灯中のランプが完全動作不良であれば（Ｓ５１１：ＮＯ）、ランプ運用部６６は、記憶部６２に格納された他方のランプの使用経歴データを参照し、他方のランプが完全動作不良であるかを判別する（Ｓ５１２）。ここで、他方のランプが完全動作不良であれば、ランプ運用部６６は、ランプ動作を終了する。
【０１５０】
一方、他方のランプが完全動作不良でなければ（Ｓ５１２：ＮＯ）、ランプ運用部６６は、点灯中のランプを消灯させて、点灯対象ランプを他方のランプに切り替える（Ｓ５０９）。このとき、並行して他方のランプを点灯ランプとする手動切り替えモードに切り替えられる。このとき、自動切り替えモードの自動設定データのフラグは変更されず、ランプ１、２の変化量が０にリセットされる。
【０１５１】
こうして他方のランプが点灯すると、Ｓ５０１に戻って、他方のランプに対する処理が行われる。他方のランプの点灯中にも、上記と同様、随時、他方のランプの寿命と動作不良が判定される（Ｓ５０１、Ｓ５０２）。そして、寿命が残存し、且つ、動作不良が発生しない間は、他方のランプが点灯され続ける。
【０１５２】
以上のとおり、寿命優先モードでは、点灯中のランプの寿命がつきればこれが消灯され、このとき、他のランプの寿命が残っていれば他のランプが点灯され、他のランプの寿命が残っていなければ、他のランプも点灯されない。このように、寿命優先モードでは、寿命が尽きたランプの点灯が回避される。よって、寿命優先モードでは、寿命が尽きたランプが点灯されて損傷するといった問題を防止することができる。
【０１５３】
これに対し、継続優先モードでは、寿命が尽きても完全動作不良でなければ、ランプの点灯が行われる。よって、継続優先モードでは、画像投写中にランプの寿命が尽きても画像投写をなるべく継続させることができるなどのメリットがある。
【０１５４】
以上、本実施の形態によれば、手動切り替えモードと自動切り替えモードを適宜選択設定できるため、ユーザは、プロジェクタの使用場面に応じて、各ランプを円滑に運用することができる。
【０１５５】
たとえば、プロジェクタを用いてプレゼンテーションを行う場合には、手動切り替えモードを用いて、練習中には古いランプを使用し、本番では高輝度のより新しいランプを使用するといった使用形態を実現することができる。
【０１５６】
また、このように特別な使用形態ではない場合には、自動切り替えモードを選択して、２つのランプを平均的に使用するといった使用形態を実現できる。この自動切り替えモードでは、２つのランプの劣化が略同様に進行するため、何れか一方のランプに使用が偏って劣化が進むといった不具合が抑制される。よって、一方のランプの劣化が顕著に進み、ランプ切り替え時に投写画像の画質が極端に変化するといった不具合が抑制され得る。
【０１５７】
なお、自動切り替えモードのみしかない場合には、２つのランプが平均的に使用されるため、各ランプが略同じ時期に切れて、画像の投写に支障が生じる場合が起こり得る。これに対し、本実施の形態では、自動切り替えモードの他に手動切り替えモードを選択できるため、時折、手動切り替えモードが選択されることにより、２つのランプの使用が極端に平均化されるといった事態を回避できる。よって、２つのランプが同じ時期に切れて画像の投写に支障が生じるとの問題を解消できる。
【０１５８】
さらに、本実施の形態では、寿命優先モードと継続優先モードを、適宜、選択設定できるため、一方で、寿命が切れたランプを使い続けることによるランプの損傷を回避することができ、他方で、寿命が切れても使用できるランプ（良品または准動作不良のランプ）を使用することができる。
【０１５９】
なお、継続優先モードの実行において、寿命が切れたランプが使用される場合、特に、寿命が切れ、且つ、准動作不良のランプが使用され続けるような場合には、投写画像にその旨をアナウンスする文字、図形を重ね表示する等、ユーザにランプの現状を報知するようにするのが望ましい。
【０１６０】
また、本実施の形態によれば、劣化が進み点灯しなくなった完全動作不良のランプの使用を未然に回避できるため、ランプの無駄な点灯動作を抑制することができる。なお、本実施の形態では、図１４に示す動作不良の判別において、ランプの点灯を複数回（Ｎｓ回）繰り返すことで、ランプの動作状況が判定されるため、ランプの動作状況をより確実に判定することができる。たとえば、ランプ温度が高い状況では通常ランプは点灯し難いが、図１４のフローチャートでは、このような場合に、誤ってランプを不良と判断するのを回避できる。よって、本来、完全動作不良ではないにも拘わらず完全動作不良であるとしてランプの使用が抑制されるといった不都合を回避でき、ランプをより効率的に使用することができる。
【０１６１】
以上、本発明の実施の形態について説明したが、本発明は、上記実施の形態に何ら制限されるものではない。また、本発明の実施形態も、上記以外に種々の変更が可能である。以下、本実施の形態の変更例について説明する。
【０１６２】
＜動作不良判別処理の変更例＞
図１４における動作不良判別処理では、ランプが完全動作不良と判別されると、その後、このランプの動作状態が良品または准動作不良に戻ることない。しかし、上記の如く、ランプ消灯直後などランプ温度が高い状況においては、通常、ランプは点灯し難く、このような場合に動作不良判別が行われると、図１４のように複数回点灯試行を行って判別を行ったとしても、誤ってランプを不良と判定する惧れがある。
【０１６３】
本変更例は、かかる不都合を回避するためのものである。図２１に、本変更例におけるランプ不良判別処理を示す。なお、図２１は、図１４の処理フローにＳ２４１〜Ｓ２５１が追加されたものであるが、ここでは、便宜上、図１４の処理フローのステップの一部を図示省略している。
【０１６４】
ランプの始動に先立って、ランプ運用部６６と動作不良判別部６８は、記憶部６２に格納された使用対象のランプの使用経歴データを参照する（Ｓ２１１）。ここで、使用経歴データが完全動作不良（完全動作不良フラグ＝１）であれば（Ｓ２１２：ＹＥＳ）、次に、ランプ運用部６６は、使用対象のランプと他方のランプの両方の使用経歴データを参照し、両方のランプが完全動作不良であるかを判別する（Ｓ２４１）。ここで、他方のランプが完全動作不良でなければ（Ｓ２４１：ＮＯ）、動作不良判別部６８は、動作不良判別処理を終了する。この場合、他方のランプの使用が可能である。
【０１６５】
一方、両方のランプとも完全動作不良であれば（Ｓ２４１：ＹＥＳ）、ランプ運用部６８は、このうち一方のランプを動作不良判定の対象に設定する。何れのランプを判定対象とするかは、たとえば、予めデフォルトとして設定されていても良く、あるいは、２つのランプのうち、より遅く完全動作不良とされたランプとしても良い。後者の場合、ランプ運用部６８は、より遅く完全動作不良とされたランプを特定する情報を保持している。
【０１６６】
しかる後、ランプ運用部６６は、ランプ始動実行回数Ｎの計測を開始し（Ｓ２４３）、その後、判定対象のランプを始動する（Ｓ２４４）。そして、判定対象のランプの始動に応じてランプ始動実行回数Ｎを１カウントアップし、さらに、この始動に対して点灯・消灯検出部６３が点灯開始を検出したかを判定する（Ｓ２４５）。
【０１６７】
この始動は、Ｎｓ回繰り返される（Ｓ２４６）。Ｎｓ回の始動の間に判定対象のランプが点灯すると（Ｓ２４５：ＹＥＳ）、動作不良判別部６８は、判定対象のランプを良品として（Ｓ２４８）、記録部６２に格納された使用経歴データを更新し、さらに、更新された使用経歴データを、通信制御部６１を介して、対応するランプユニットの記憶部７１ａまたは７１ｂに上書きする（Ｓ２４９）。
【０１６８】
Ｎｓ回の始動の間に判定対象のランプが点灯しなければ（Ｓ２４６：ＹＥＳ）、ランプ運用部６６は、他に判定を行っていないランプがあるかを判定し（Ｓ２４７）、他にランプがあれば（Ｓ２４７：ＹＥＳ）、他方のランプを判定対象に設定して（Ｓ２５１）、Ｓ２４３以降の処理を行う。これにより、他方のランプについてもＮｓ回ランプ始動が行われ、この間に他方のランプが点灯すると（Ｓ２４５：ＹＥＳ）、動作不良判別部６８は、他方のランプを良品として（Ｓ２４８）、記録部６２に格納された使用経歴データを更新し、さらに、更新された使用経歴データを、通信制御部６１を介して、対応するランプユニットの記憶部７１ａまたは７１ｂに上書きする（Ｓ２５０）。
【０１６９】
一方、Ｎｓ回の始動の間に他方のランプが点灯しなければ、Ｓ２４６：ＮＯ）、両方のランプについて判定が行われたため（Ｓ２４７）、動作不良判別部６８は、動作不良判別処理を終了する。この場合、両方のランプの使用が不可能となる。
【０１７０】
本変更例では、誤って完全動作不良とされたランプが、その後の確認動作によって良品に戻される。よって、ランプを適正に有効利用することができ、プロジェクタの機能を適正に発揮させることができる。なお、図２１のフローチャートでは、先に判定対象とされたランプが良品となると、他方のランプに対する動作不良判定を行わないようにしたが、引き続き他方のランプに対する動作不良判定を行うようにしても良い。
【０１７１】
＜寿命優先モードの変更例＞
図１９に示す寿命優先モードでは、点灯対象ランプの寿命が尽きると、ランプの切り替えやランプ動作の停止の処理が行われる。この場合、寿命の尽きたランプを点灯し続けることによるランプの損傷を未然に防止できるが、反面、画像投写が中断されるとの不都合もある。この点に鑑み、本変更例では、寿命が尽きてもランプ動作（画像投写）の終了指令がなされるまでは、点灯中のランプを点灯させ続ける。
【０１７２】
本変更例において、点灯ランプの切り替えは、点灯中のランプが動作不良になったときに行われる。この場合も、上記図１９の場合と同様、並行して自動切り替えモードが設定されていれば、切り替え後のランプを点灯ランプとする手動切り替えモードに切り替えられる。このとき、自動切り替えモードの自動設定データのフラグは変更されず、ランプ１、２の変化量が０にリセットされる。
【０１７３】
図２２および図２３に、本変更例に係る寿命優先モードの処理フローを示す。なお、図２２は、寿命優先モードのうち使用対象ランプの寿命に関してランプ運用を行うパートの処理フローであり、図２３は、使用対象ランプの動作状態（動作不良）に関してランプ運用を行うパートの処理フローである。以下では、手動切り替えモードまたは自動切り替えモードにおいて、使用対象ランプがランプ１に設定されている場合を例に、各処理フローの説明を行う。
【０１７４】
まず、図２２を参照して、ランプ１が始動または点灯されると、ランプ運用部６６は、寿命判定部６７においてランプ１の寿命が尽きたと判定されたかを監視する（Ｓ６０１）。ランプ１の点灯が進行し、ランプ１の寿命が尽きると（Ｓ６０１：ＹＥＳ）、ランプ運用部６６は、次回のランプ動作時に点灯対象とされるランプをランプ２に設定し、ユーザからＯＦＦ操作があるまで（Ｓ６０３：ＹＥＳ）、ランプ１の点灯を継続する（Ｓ６０２）。ユーザからＯＦＦ操作があると（Ｓ６０３：ＹＥＳ）、ランプ運用部６６は、ランプ１を消灯する。このとき、プロジェクタは、スタンバイ状態となる。
【０１７５】
しかる後、ユーザからＯＮ操作がなされると（Ｓ６０４：ＹＥＳ）、ランプ運用部６６は、寿命判定部６７においてランプ２の寿命が尽きたと判定されたかを判別し（Ｓ６０５）、ランプ２の寿命が残っていれば、記憶部６２に格納されたランプ２の使用経歴データを参照して、ランプ２は良品（准動作不良および完全動作不良ではない）かを判別する（Ｓ６０６）。ここで、ランプ２が良品であれば（Ｓ６０６：ＹＥＳ）、ランプ運用部６６は、ランプ２を始動する（Ｓ６０７）。一方、ランプ２が良品でなければ、システムによるＯＦＦ動作を実行させる（Ｓ６０８）。なお、Ｓ６０７によりランプ２が始動されると、ランプ２について、Ｓ６０１以降の処理が行われる。
【０１７６】
次に、図２３を参照して、ランプ１の始動時にランプ１が点灯せず、あるいは、ランプ１の点灯中にランプ１の点灯が切れると（Ｓ６１１：ＹＥＳ）、ランプ運用部６６は、記憶部６２に格納されたランプ２の使用経歴データを参照し、ランプ２が良品であるかを判定する（Ｓ６１２）。ここで、ランプ２が良品であれば、ランプ運用部６６は、さらに、寿命判定部６７におけるランプ２の寿命判定結果を参照し、ランプ２に寿命が残っているかを判定する（Ｓ６１３）。
【０１７７】
ランプ２が良品ではなく、あるいは、ランプ２に寿命が残っていなければ、ランプ運用部はシステムによるＯＦＦ動作を実行させる（Ｓ６２３）。一方、ランプ２の寿命が残っていれば（Ｓ６１３：ＹＥＳ）、ランプ運用部６６は、ランプ２の点灯始動を行う（Ｓ６１４）。
【０１７８】
ここで、ランプ２が点灯しなければ（Ｓ６１５：ＮＯ）、ランプ２は准動作不良とされ（Ｓ６１２：ＮＯ）、ランプ運用部はシステムによるＯＦＦ動作を実行させる（Ｓ６２３）。一方、ランプ２が点灯すれば（Ｓ６１５：ＹＥＳ）、ランプ運用部６６は、ランプ２に動作不良（良品→准動作不良）が生じ（Ｓ６１６：ＹＥＳ）、あるいは、ユーザによりＯＦＦ操作がなされるまで（Ｓ６１７：ＹＥＳ）、ランプ２の点灯を行う。かかる点灯中に、ランプ２が切れると、ランプ２は准動作不良とされ（Ｓ６１２：ＮＯ）、ランプ運用部はシステムによるＯＦＦ動作を実行させる（Ｓ６２３）。
【０１７９】
Ｓ６１７において、ユーザによるＯＦＦ操作がなされると、ランプ運用部６６は、ランプ２を消灯させる。このとき、プロジェクタはスタンバイ状態となる。その後、ユーザによりＯＮ操作がなされると、ランプ運用部６６は、まず、ランプ１に対する点灯始動を行う（６１９）。これによりランプ１が点灯すると（Ｓ６２０：ＹＥＳ）、ランプ運用部６６は、ランプ１の点灯を継続する（Ｓ６１２）。この場合、Ｓ６１１に戻って、再び、ランプ１について同様の処理が行われる。
【０１８０】
一方、ランプ１が点灯しなければ（Ｓ６２０：ＮＯ）、ランプ運用部６６は、ランプ２に対する点灯始動を行う。この場合には、ランプ２について、Ｓ６０１以降の処理が行われる。
【０１８１】
Ｓ６２３においてシステムによるＯＦＦがなされた後、ユーザによるＯＮ操作がなされると（Ｓ６２４：ＹＥＳ）、ランプ運用部６６は、ランプ１に対する点灯始動を行う（Ｓ６２５）。これによりランプ１が点灯すると（Ｓ６２６：ＹＥＳ）、ランプ運用部６６は、ランプ１の点灯を継続する（Ｓ６２７）。この場合、Ｓ６１１に戻って、再び、ランプ１について同様の処理が行われる。一方、ランプ１が点灯しなければ（Ｓ６２６：ＮＯ）、ランプ運用部はシステムによるＯＦＦ動作を実行させる（Ｓ６２８）。
【０１８２】
本変更例の図２２の処理フローによれば、ランプ１の点灯始動時および点灯中にランプ１の寿命が尽きても、ランプ１は、ユーザからＯＦＦ操作があるまで点灯が継続される（Ｓ６０２、Ｓ６０３）ため、ランプの寿命が尽きたことによる画像投写の中断が防止され
る。よって、ユーザの利便性を向上させることができる。
【０１８３】
また、本変更例の図２３の処理フローによれば、ランプ１が動作不良となったときに、ランプ２の寿命が残っていなければランプ２を点灯させずにシステムによるＯＦＦ動作が実行される（Ｓ６１３、Ｓ６２３）ため、寿命のない状態でランプ２が点灯されることによるランプ２の損傷等を防止することができる。
【０１８４】
さらに、本変更例の図２３の処理フローによれば、ランプ２の使用が不適正であるとしてシステムによるＯＦＦ動作がなされたときに（Ｓ６１２、Ｓ６１３、Ｓ６２３）、ユーザからＯＮ操作がなされると（Ｓ６２４）、ランプ１の点灯始動が行われる（Ｓ６２５）ため、何らかの原因によりＳ６１１においてランプ１に動作不良が生じたと誤って判定されても、これを訂正して、ランプ１の使用を続けることができる。
【０１８５】
また、本発明によれば、使用ランプがランプ２に切り替えられた状態（Ｓ６１４、Ｓ６１５、Ｓ６１６）でユーザによるＯＦＦ操作がなされ（Ｓ６１７）、その後、ユーザによるＯＮ操作がなされると（Ｓ６１８）、ランプ１の点灯始動が行われる（Ｓ６２６）ため、何らかの原因によりＳ６１１においてランプ１に動作不良が生じたと誤って判定されても、これを訂正して、ランプ１の使用を続けることができる。
【０１８６】
＜継続優先モードの変更例＞
図２４は、継続優先モードの変更例を示す処理フローチャートである。この処理フローチャートでは、図２３の処理フローチャートに比べて、ステップＳ６１３が省略されており、その他の処理フローチャートは図２３と同様である。
【０１８７】
この変更例では、Ｓ６１２にてランプ２が良品であれば、ランプ２に寿命が残っているかに拘わらず、ランプ２が点灯始動される。すなわち、ランプ１が動作不良となった場合（Ｓ６１１）に、ランプ２が良品であれば（Ｓ６１２）、寿命が残っているかに拘わらずランプ２の点灯始動を行い（Ｓ６１４）、ランプ２が点灯すればランプ２が使用される（Ｓ６１５）。よって、ランプ１が切れた場合に画像投写を継続させることができ、ユーザの利便性を向上させることができる。
【０１８８】
以上に示した変更例の他にも、本実施の形態は、種々変更可能である。
【０１８９】
たとえば、上記実施の形態では、ランプユニットを２つ搭載可能なプロジェクタを例に挙げたが、ランプユニットの搭載数は、１つであってもよく、あるいは、３つ以上であっても良い。また、本発明に係るランプユニットは、プロジェクタ以外の製品にも適用可能である。ランプユニットを３つ以上配する場合、自動切り替えモードでは、各ランプに順番を設定し、この順番に従って、使用するランプユニットを変更するようにすれば良い。また、寿命優先モードでは、使用対象ランプの寿命が尽き、あるいは、動作不良が発生したときに、たとえば、残りのランプのうち寿命が残っており、且つ、より良品に近いランプ（完全動作不良を除く）に切り替えるようにすれば良い。さらに、継続優先モードでは、使用対象ランプの寿命が尽き、あるいは、動作不良が発生したときに、たとえば、このランプが完全動作不良（および准動作不良）でなければ点灯を継続し、そうでなければ、残りのランプのうちより良品に近いランプ（完全動作不良を除く）に切り替えるようにすれば良い。
【０１９０】
また、上記実施の形態では、ランプユニットを管理するためのランプ管理情報として、図１１（ｂ）に示す２種のデータを示したが、さらにこれ以外の情報をランプ管理情報に含めることも可能である。たとえば、ランプの型番等、ランプを識別するための情報や、ランプの照度や色ムラ等、当該ランプの特性に関する情報をランプ管理情報として含めることができる。
【０１９１】
また、ランプユニットの名称、使用開始日、動作状態等に関する情報を、ユーザにより、適宜、ランプ管理情報に含め得るようにすることもできる。かかる情報は、たとえば、プロジェクタの操作部を介して入力され、あるいは、専用のインタフェースを介してパソコンから書き込むようにすることができる。こうすると、当該ランプユニットの固有情報を適宜ユーザが確認でき、ユーザの利便性を高めることができる。
【０１９２】
これらの情報は、上記積算時間データ（使用積算時間）や使用経歴データ（動作不良状態）とともに、ユーザメニュー等によりユーザに提示可能とするのが望ましい。こうすると、ユーザが、各モードの選択や、手動切り替えモードにおいて使用するランプの選択を円滑に行うことができる。また、動作不良の判別結果は、随時、ランプ交換を知らせるインジケータ等によりユーザに報知するようにするのが望ましい。こうすると、ユーザは、ランプの故障を的確に知ることができる。
【０１９３】
なお、本実施の形態において、冷却装置４は、２つのランプユニット１０ａ、１０ｂのうち一方を選択的かつ重点的に冷却できるよう構成されるのが望ましい。この場合、冷却装置４は、ランプ運用部６６に連動して、使用されるランプユニットを冷却するよう制御される。
【０１９４】
上記実施の形態において、ランプユニットをユーザが交換する際には、キャビネット１に形成された図示しないランプカバーが開けられることとなる。この場合、ランプカバーが開けられている状態でのランプの点灯は、安全性の面から回避されなければならず、このため、上記実施の形態では、ランプカバーの開閉を検知するための検知手段が配され、ランプカバーが開いている状態ではランプが点灯しないよう制御される。
【０１９５】
したがって、上記実施の形態では、ランプカバーが開いている状態におけるランプの不点灯は、動作不良として判定されて記憶部６２ないし７１ａ、７１ｂに記憶されないよう制御される。すなわち、動作不良判定部６８は、検知手段によりランプカバーが開いていると検知された状態においては、点灯・消灯検出部によりランプの点灯が検出されなくても、当該ランプが動作不良状態にあると判別しない。
【０１９６】
この他、本発明の実施の形態は、特許請求の範囲に示された技術的思想の範囲内において、適宜、種々の変更が可能である。
【符号の説明】
【０１９７】
１０ａ、１０ｂ  …  ランプユニット
５４  …  コントローラ
６６  …  ランプ運用部（運用部）
６６ａ…  モード設定部（設定部）
６７  …  寿命判定部（運用部）
６８  …  動作不良判別部（不良判別部）
【図１】
2011102987.tif 000003
【図２】
2011102987.tif 000004
【図３】
2011102987.tif 000005
【図４】
2011102987.tif 000006
【図５】
2011102987.tif 000007
【図６】
2011102987.tif 000008
【図７】
2011102987.tif 000009
【図８】
2011102987.tif 000010
【図９】
2011102987.tif 000011
【図１０】
2011102987.tif 000012
【図１１】
2011102987.tif 000013
【図１２】
2011102987.tif 000014
【図１３】
2011102987.tif 000015
【図１４】
2011102987.tif 000016
【図１５】
2011102987.tif 000017
【図１６】
2011102987.tif 000018
【図１７】
2011102987.tif 000019
【図１８】
2011102987.tif 000020
【図１９】
2011102987.tif 000021
【図２０】
2011102987.tif 000022
【図２１】
2011102987.tif 000023
【図２２】
2011102987.tif 000024
【図２３】
2011102987.tif 000025
【図２４】
2011102987.tif 000026